(57)【要約】【課題】  ＬＥＤ採用光源モジュールでは、使用するＬＥＤドライバＩＣの仕様やＬＥＤの発光強度などにより、ＬＥＤを直列に接続する直列数と並列に分割する系列数で様々な組み合わせがある。その組み合わせ毎にそれぞれ専用のＦＰＣまたはＰＷＢを作製する必要があり、開発費などの費用が発生している。そこで本発明の目的は、ＬＥＤ採用光源モジュールにおいて、複数通りのＬＥＤ直列数、系列数に対して一つのＦＰＣまたは基板で対応できるようにする。【解決手段】  本発明に係わる光源モジュールに用いるプリント回路基板は、複数のＬＥＤと、そのＬＥＤを実装するためのプリント基板とを有する光源モジュール用プリント回路基板であって、上記プリント基板の配線パターンは、ＬＥＤが複数の系列に分かれて直列接続されるよう配設され、少なくとも１系列の前記配線パターンには、ＬＥＤが実装されていない。【選択図】  図１
2011091256.tif 000002
【特許請求の範囲】
【請求項１】
複数のＬＥＤと、該ＬＥＤを実装するためのプリント基板とを有する光源モジュール用プリント回路基板において、
前記プリント基板の配線パターンは、前記ＬＥＤが複数の系列に分かれて直列接続されるよう配設され、
少なくとも１系列の前記配線パターンには、前記ＬＥＤが実装されていないことを特徴とする光源モジュール用プリント回路基板。
【請求項２】
複数のＬＥＤと、該ＬＥＤを実装するためのプリント基板とを有する光源モジュール用プリント回路基板において、
前記プリント基板の配線パターンは、複数のＬＥＤ選択配線を直列接続するように配設され、
該ＬＥＤ選択配線には、前記ＬＥＤまたはジャンパ抵抗のいずれかを実装したことを特徴とする光源モジュール用プリント回路基板。
【請求項３】
前記ＬＥＤ選択配線上に実装される前記ＬＥＤと前記ジャンパ抵抗の実装用ランドを共用することを特徴とする請求項２に記載の光源モジュール用プリント回路基板。
【請求項４】
前記配線パターンにおいて、
前記ＬＥＤのカソード側配線を分割して複数のカソード側配線毎にＬＥＤ駆動電源を供給することを特徴とする請求項１ないし３のいずれか一項に記載の光源モジュール用プリント回路基板。
【請求項５】
前記配線パターンにおいて、
前記ＬＥＤのアノード側配線を分割して複数のアノード側配線毎にＬＥＤ駆動電源を供給することを特徴とする請求項１ないし３のいずれか一項に記載の光源モジュール用プリント回路基板。
【請求項６】
複数のＬＥＤと、
該ＬＥＤの実装用ランドと、
前記ＬＥＤに駆動電源を供給する第１の接続コネクタに対応した実装用ランドと、第２の接続用コネクタに対応した実装用ランドを備える光源モジュール用プリント回路基板であって、
該プリント回路基板の配線パターンは、前記ＬＥＤが複数の系列に分かれて直列接続されるよう配設され、
前記第１の接続コネクタに対応したコネクタ実装用ランドは、前記複数の系列の内、第１の複数系列のＬＥＤ配線パターンと接続され、
前記第２の接続コネクタに対応したコネクタ実装用ランドは、前記複数の系列の内、第２の複数系列のＬＥＤ配線パターンと接続され、
該第２の複数系列のＬＥＤ配線パターンは前記第１の複数系列のＬＥＤ配線パターンの一部であり、
前記第１の複数系列には前記ＬＥＤが実装され、
この系列の配線パターンと接続した前記第１の接続コネクタが実装され、前記第２の接続コネクタは実装されていないことを特徴とした光源モジュール用プリント回路基板。
【請求項７】
複数のＬＥＤと、
該ＬＥＤの実装用ランドと、
前記ＬＥＤに駆動電源を供給する第１の接続コネクタに対応した実装用ランドと、第２の接続用コネクタに対応した実装用ランドを備える光源モジュール用プリント回路基板であって、
該プリント回路基板の配線パターンは、前記ＬＥＤが複数の系列に分かれて直列接続されるよう配設され、
前記第１の接続コネクタに対応したコネクタ実装用ランドは、前記複数の系列の内、第１の複数系列のＬＥＤ配線パターンと接続され、
前記第２の接続コネクタに対応したコネクタ実装用ランドは、前記複数の系列の内、第２の複数系列のＬＥＤ配線パターンと接続され、
該第２の複数系列のＬＥＤ配線パターンは前記第１の複数系列のＬＥＤ配線パターンの一部であり、
前記第２の複数系列には前記ＬＥＤが実装され、
この系列の配線パターンと接続した前記第２の接続コネクタが実装され、前記第１の接続コネクタは実装されていないことを特徴とした光源モジュール用プリント回路基板。
【発明の詳細な説明】
【技術分野】
【０００１】
本発明は、発光ダイオード（以降ＬＥＤと称す）を備えた光源モジュール用プリント回路基板に関するものであり、例えば液晶ＴＶなどの表示装置のバックライト用光源モジュールに好適に使用することができる。
【背景技術】
【０００２】
近年、液晶ＴＶなどの表示装置のバックライト光源として汎用されていた冷陰極菅（ＣＣＦＬ）に代わり、ＬＥＤを採用する事例が増えてきた。このＬＥＤを採用したバックライト光源モジュールにおいては、点光源であるＬＥＤを列状に多数配置するため、可撓性プリント基板（以降ＦＰＣと称す）やプリント配線板（以降ＰＷＢと称す）などにＬＥＤを実装する必要がある（ＦＰＣとＰＷＢを総称して「プリント基板」と称す）。そして、このプリント基板にＬＥＤや接続コネクタなどを実装したプリント回路基板（ＰＣＢと称す）が上記光源モジュールの主要な構成物であり、この光源モジュールが表示装置のバックライトの光源部として表示装置に組み込まれる構成になっている（特許文献１）。
【０００３】
この光源モジュールは、光源として目標とする「明るさ」を実現するため、ＬＥＤの使用個数やＬＥＤに流れる電流値などによって輝度調整を実施している（特許文献２）。しかながらＬＥＤドライバＩＣの仕様などにより、直列に接続できるＬＥＤ個数に制限がある。そこでＬＥＤを多数使用する場合は、例えばそれぞれｎ個ずつ直列に接続して、複数の系列（ｍ系列）に分割することによってｎ×ｍ個のＬＥＤを点灯できるような構成になっている（特許文献２、図４）。
【先行技術文献】
【特許文献】
【０００４】
【特許文献１】特開２００５−１７４８２０
【特許文献２】特開２００８−１９２７９７
【発明の概要】
【発明が解決しようとする課題】
【０００５】
前述の通り、ＬＥＤの使用個数で光源としての「明るさ」を調整する場合、使用するＬＥＤドライバＩＣの仕様やＬＥＤの発光強度（ランク）などにより、ＬＥＤを直列に接続する直列数と並列に分割する系列数で様々な組み合わせが存在する。その様々な組み合わせを実現するためには組み合わせ毎にそれぞれ専用のＦＰＣまたはＰＷＢを作製する必要があり、開発費などの費用が発生していた。
【０００６】
そこで本発明の目的は、上記光源モジュールおいて、複数通りのＬＥＤ直列数、系列数に対して１つのＦＰＣまたは基板で対応できるようにすることである。
【課題を解決するための手段】
【０００７】
本発明の係わる光源モジュール用プリント回路基板は、複数のＬＥＤと、そのＬＥＤを実装するためのプリント基板とを有する光源モジュール用プリント回路基板であって、上記プリント基板の配線パターンは、ＬＥＤが複数の系列に分かれて直列接続されるよう配設され、少なくとも１系列の前記配線パターンには、ＬＥＤが実装されていないことを特徴とする。
【０００８】
さらに、本発明の係わる光源モジュール用プリント回路基板は、複数のＬＥＤと、そのＬＥＤを実装するためのプリント基板とを有する光源モジュール用プリント回路基板であって、上記プリント基板の配線パターンは、複数のＬＥＤ選択配線を直列接続するように配設され、上記ＬＥＤ選択配線には、ＬＥＤまたはジャンパ抵抗のいずれかを実装したことを特徴とする。
【０００９】
さらに別の局面での光源モジュール用プリント回路基板は、複数のＬＥＤと、そのＬＥＤの実装用ランドと、ＬＥＤに駆動電源を供給する第１の接続コネクタに対応した実装用ランドと、第２の接続用コネクタに対応した実装用ランドを備える光源モジュール用プリント回路基板であって、そのプリント回路基板の配線パターンは、ＬＥＤが複数の系列に分かれて直列接続されるよう配設され、上記記第１の接続コネクタに対応したコネクタ実装用ランドは、上記複数の系列の内、第１の複数系列のＬＥＤ配線パターンと接続され、上記第ニの接続コネクタに対応したコネクタ実装用ランドは、上記複数の系列の内、第ニの複数系列のＬＥＤ配線パターンと接続され、その第ニの複数系列のＬＥＤ配線パターンは上記第１の複数系列のＬＥＤ配線パターンの一部であり、さらに上記第１の複数系列にはＬＥＤが実装され、この系列の配線パターンと接続した上記第１の接続コネクタが実装され、上記第ニの接続コネクタは実装されていないことを特徴とする。
【００１０】
また、別の局面での光源モジュール用プリント回路基板は、複数のＬＥＤと、そのＬＥＤの実装用ランドと、ＬＥＤに駆動電源を供給する第１の接続コネクタに対応した実装用ランドと、第２の接続用コネクタに対応した実装用ランドを備える光源モジュール用プリント回路基板であって、そのプリント回路基板の配線パターンは、ＬＥＤが複数の系列に分かれて直列接続されるよう配設され、上記第１の接続コネクタに対応したコネクタ実装用ランドは、上記複数の系列の内、第１の複数系列のＬＥＤ配線パターンと接続され、
上記第ニの接続コネクタに対応したコネクタ実装用ランドは、上記複数の系列の内、第ニの複数系列のＬＥＤ配線パターンと接続され、この第ニの複数系列のＬＥＤ配線パターンは上記第１の複数系列のＬＥＤ配線パターンの一部であり、さらに上記第２の複数系列にはＬＥＤが実装され、この系列の配線パターンと接続した上記第２の接続コネクタが実装され、上記第１の接続コネクタは実装されていないことを特徴とする。
【発明の効果】
【００１１】
１個のＦＰＣまたは基板で複数通りのＬＥＤ構成に対応できるようになり、開発費などの費用発生を抑えることができる。
【図面の簡単な説明】
【００１２】
【図１】実施の形態１に係わるＦＰＣの回路図である。
【図２】実施の形態２に係わるＦＰＣの回路図である。
【図３】実施の形態３の第１の局面に係わるＦＰＣの回路図である。
【図４】実施の形態３の第２の局面に係わるＦＰＣの回路図である。
【発明を実施するための形態】
【００１３】
以下、本発明の実施の形態について図面を参照しながら説明する。なお、説明が重複して冗長になるのを避けるため、各図において同一または相当する機能を有する要素には同一符号を付してある。
【００１４】
実施の形態１．
以下、この発明の実施の形態１について、図１を用いて詳細に説明する。図１はＬＥＤを備えた光源モジュール１の主要な電気的構成物であるＦＰＣ１０の回路図を表している。図１において、鎖線で示したＦＰＣ１０はそれぞれｎ１個、ｎ２個・・・ｎｍ個（ｎ１、ｎ２・・・ｎｍは同じ、あるいは異なる値）のＬＥＤ１３を直列に実装できる配線パターンL１、Ｌ２・・・Ｌｍをｍ列備えており、その結果各ＬＥＤ１３に流れる電流はｍ系列に分かれている。すなわち、全ＬＥＤ１３に流れる総電流はアノード端子１１から供給され、アノード配線１４にてｍ系列に分配される。全ｍ系列のＬＥＤ電流はカソード側配線１５にて統合され、カソード端子１２へと接続されている。
【００１５】
各系列の配線パターンL１〜Ｌｍ上には、ＬＥＤ１３を実装するため「ＬＥＤ実装用ランド」（以降ＬＤと称す）が所定の位置にｎ１組配置されている。ここで、図１に示したように、一つのＬＤは２箇所の実装用ランドで構成されており、一つのＬＤを使用してＬＥＤ１３のアノード／カソードを半田付けし、所定の位置に実装する。以降、ＬＤは２箇所の実装用ランドをまとめて一組と数える。
【００１６】
本実施の形態においては、ＬＥＤの使用個数によって、使用する系列のＬＤにはそれぞれＬＥＤ１３を実装し、使用しない系列のＬＤにはＬＥＤ１３は実装しない（破線で記載）。図１において、例えばＬＥＤ１３を（ｎ１＋ｎ２）個使用したい場合には、Ｌ１系列（ＬＤ１１〜ＬＤ１ｎ１）およびＬ２系列（ＬＤ２１〜ＬＤ２ｎ２）のＬＤにＬＥＤ１３を実装し、それ以外のＬＤにはＬＥＤ１３は実装しない（破線で記載）。こうすることによってＬＤ１１〜ＬＤ１ｎ１およびＬＤ２１〜ＬＤ２ｎ２を経由して（ｎ１＋ｎ２）個のＬＥＤ１３に電流が流れ、そのＬＥＤ１３を点灯させることができる。一方、ＬＥＤ１３を実装しなかったＬ１およびＬ２系列以外のＬＤには電流が流れない。なお、本実施の形態においては実装していないＬＥＤは破線で記載した。
【００１７】
尚、本実施の形態では、ＬＥＤを実装する系列としてＬ１、Ｌ２を例示して説明したが、実装する系列の数や配置に関し、特に指定が有るわけではなく、光源モジュールが要求される総発光強度や発光均整度などの製品仕様により適宜決定される。
【００１８】
以上説明したように本実施の形態に係わる光源モジュール１用ＰＣＢによれば、１種類のＦＰＣ生基板（部品を実装していないＦＰＣ基板）を用いて複数通りバリエーションのＬＥＤ構成に対応できるようになり、その結果、複数の仕様の光源モジュールに当該ＦＰＣ生基板を共通に採用することができ、その開発費などの費用発生を抑えることができる。
【００１９】
実施の形態２．
以下、この発明の実施の形態２について、図２を用いて詳細に説明する。図２はＬＥＤ１３を備えた光源モジュール１の主要な電気的構成物であるＦＰＣ１０の回路図を表している。図２において、この発明の鎖線で示したＦＰＣ１０には、それぞれＬＥＤ１３を最大ｐ個直列に実装できる配線パターンをｍ系列備えている（Ｌ１、Ｌ２・・・Ｌｍ）。また、これら各系列はｐ組のＬＤおよびｐ組の「２個の抵抗実装用ランド」（以降ＲＰと称す。ＬＤと同様に２箇所の実装用ランドをまとめて一組と数える。）を備え、ＬＤとＲＰは両ランドが並列接続されている。このＬＤとＲＰの結線ペアをＬＥＤ選択配線１６と称す。また、すべての系列のカソード側はカソード端子１２と接続されている。同様に、すべての系列のアノード側はアノード端子１１と接続されている。なお、本実施の形態においては実装していないＬＥＤと抵抗は破線で記載した。
【００２０】
本実施の形態においては、ＬＥＤ１３の使用個数によって、使用する系列に直列接続されたＬＥＤ選択配線１６のそれぞれにＬＥＤ１３またはジャンパ抵抗１７（０Ω抵抗）のどちらかを実装する。各系列毎に直列に接続したい個数分のＬＥＤ１３を実装し、ＬＥＤ１３を実装しない残りは抵抗１７を実装する。
【００２１】
例えば系列Ｌ１において、ＬＥＤを（ｎ１−２）個使用したい場合にはＬＤ１３〜ＬＤ１ｐにはＬＥＤ１３を実装し、ＰＲ１３〜ＲＰ１ｐには何も実装せず、オープン状態とする。一方、Ｒ１１、Ｒ１２にはジャンパ抵抗１７を実装し、ＬＤ１１と１２にＬＥＤ１３を実装しない（破線で記載）。同様にＬ１からＬｍ各系列毎に直列に接続配置されたＬＥＤ選択配線１６にＬＥＤ１３の個数に応じてＬＥＤ１３またはジャンパ抵抗１７をそれぞれ実装することによって様々な組み合わせに対応することができる。
【００２２】
以上説明したように本実施の形態に係わる光源モジュール１用ＰＣＢによれば、１種類のＦＰＣ生基板（部品を実装していないＦＰＣ基板）を用いて複数通りバリエーションのＬＥＤ構成に対応できるようになり、その結果、複数の仕様の光源モジュールに当該ＦＰＣ生基板を共通に採用することができ、その開発費などの費用発生を抑えることができる。
【００２３】
さらに、ＬＥＤ１３の実装・非実装をそれぞれのＬＥＤ選択配線１６毎に決めることができ、光源モジュール１の輝度ばらつきを抑えることができる。特に直下型のバックライトに用いる光源モジュールにおいては、多数のＬＥＤを面状に配置するため、部分的な明暗を補正する局面において、容易にＬＥＤの実装・非実装の試行錯誤を繰り返すことができ、その結果、多数のＦＰＣ生基板を開発することなく輝度ばらつきを抑えることができる。
【００２４】
なお、上述の実施の形態２では、図２に示したＬＤとＲＰの結線ペアをＬＥＤ選択配線１６としたが、ＬＥＤ１３のＬＤとＲＰは別々に配置する必要はなく、一組の実装用ランドを共用してもよい。例えば、ＬＥＤ選択配線１６の構成として、図１のようにＬＤのみを配置し、ＬＥＤ１３が必用な箇所は、ＬＥＤ１３を実装し、ＬＥＤ１３が不要な箇所のＬＥＤ選択配線１６には、ＬＥＤ１３を実装せず、代わりにその実装用ランドに抵抗１７を実装してもよい。この場合、ＬＤは、ＬＥＤ１３の外形サイズに対応しているので、抵抗１７の外形サイズも予めＬＤに対応して実装できるサイズを選択しておく必要がある。
【００２５】
また、上述の実施の形態１、２ではカソード端子１２側のカソード側配線１５は共通配線に接続しているが、それらのカソード側配線１５を分割して複数のカソード端子１２としても良い。また、逆にアノード配線１４を共通配線に接続せず、複数のアノード端子１１とし、カソード端子１２側を共通配線に接続しても良い。また、上記の例示にて系列Ｌ１においては、ＬＥＤ１３を実装しない２組のＬＤをＬ１１とＬＤ１２として説明したが、実装しないＬＤの配置は、特にアノード端子１１から近い２組のＬＤ箇所としたが、Ｌ２列やＬｍ列で例示したように、特にこの場所や数量に限定されるわけではなく、光源モジュール１が要求される総発光強度や発光均整度などの製品仕様により適宜決定される。
【００２６】
実施の形態３．
以下、この発明の実施の形態３について、図３、図４を用いて詳細に説明する。図３はＬＥＤ１３を備えた光源モジュール１の主要な電気的構成物であるＦＰＣ１０の回路図を表している。本実施の形態ではｐ組のＬＤを直列に接続した３系列の配線パターン（Ｌ１、Ｌ２、Ｌ３）を備える場合を例にとって説明する。鎖線で示したＦＰＣ１０上には各系列Ｌ１、Ｌ２、Ｌ３に対応してそれぞれｐ個のＬＥＤ１３が実装できるｐ組のＬＤが設けられている。Ｌ１系列のアノード側にはアノード配線１４と接続されたアノード側接続端子Ａ１１およびＡ２１が、同カソード側にはカソード配線１５と接続されたカソード側接続端子Ｋ１１およびＫ２１が配置されている。同様にＬ２系列のアノード側にはアノード配線１４と接続されたアノード側接続端子Ａ１２およびＡ２２が、同カソード側にはカソード配線１５と接続されたカソード側接続端子Ｋ１２およびＫ２２が配置されている。一方、Ｌ３系列のアノード側にはアノード配線１４と接続されたアノード側接続端子Ａ１３が、同カソード側にはカソード配線１５と接続されたカソード側接続端子Ｋ１３が配置されている。
【００２７】
さらに図３のＦＰＣ１０上に配置されたカソード側、アノード側接続端子Ａ１１、Ｋ１１、Ａ１２、Ｋ１２、Ａ１３、Ｋ１３は、第１のコネクタ３１が実装できるように、順に例えば０．５ｍｍピッチで端子が配置されている。また、カソード側、アノード側接続端子Ａ２１、Ｋ２１、Ａ２２、Ｋ２２は、第２のコネクタ３２が実装できるように、順に例えば０．５ｍｍピッチで端子が配置されている。
【００２８】
ここで本実施の形態では、上記ＬＤ、アノード側接続端子およびカソード側接続端子に対応して実装するＬＥＤ１３および外部接続コネクタの配置に関し、２つの局面について例示する。
［第１の局面］
以下、実施の形態３の第１の局面について、図３を用いて、詳しく説明する。当該第１の局面では、ＬＥＤ１３を（ｐ×３）個使用するので、ＬＤ１１〜ＬＤ１ｐ 、ＬＤ２１〜ＬＤ２ｐおよびＬＤ３１〜ＬＤ３ｐにＬＥＤを実装し、上記カソード側、アノード側接続端子Ａ１１、Ｋ１１、Ａ１２、Ｋ１２、Ａ１３、Ｋ１３に対応して、第１のコネクタ３１を実装する。また、第ニのコネクタ３２は実装しない（破線で記載）。こうすることによって光源モジュール１がｐ個直列３系列の仕様の場合は、第１のコネクタ３１を経由して（ｐ×３）個のＬＥＤ１３を駆動することができる。
【００２９】
［第２の局面］
一方、  以下、実施の形態３の第１の局面について、図４を用いて、詳しく説明する。実施の形態３の第２の局面では、（ｐ×２）個のＬＥＤ１３を使用する。ここではＬＤ１１〜ＬＤ１ｐおよびＬＤ２１〜ＬＤ２ｐにＬＥＤ１３を実装し、カソード側、アノード側接続端子Ａ２１、Ｋ２１、Ａ２２、Ｋ２２対応して、第２のコネクタ３２を実装する。ＬＤ３１〜ＬＤ３ｐにはＬＥＤ１３は実装しない（破線で記載）。また、第１のコネクタ３１も実装しない（破線で記載）。こうすることによって光源モジュール１がｐ個直列２系列の仕様の場合は、第２のコネクタ３２を経由して（ｐ×２）個のＬＥＤ１３を駆動することができる。
【００３０】
上述の２つの局面で使用した２種のＦＰＣ１０は、そのＬＤ、カソード側、アノード側接続端子などの部品実装用端子ランドの配置は同一であり、ＦＰＣ１０の生基板は同一仕様である。すなわち、１つのＦＰＣ生基板を２つの異なる仕様の光源モジュール１で共用化できる。
【００３１】
以上説明したように本実施の形態に係わる光源モジュール１用ＰＣＢによれば、１種類のＦＰＣ生基板を用いて複数通りバリエーションのＬＥＤ構成に対応できるようになり、その結果、複数の仕様の光源モジュールに当該ＦＰＣ生基板を共通に採用することができ、その開発費などの費用発生を抑えることができる。
【００３２】
なお、本実施の形態では配線パターンの系列数として３系列の例を説明したが、３系列に限るものではない。またすべての系列の最大ＬＥＤ直列接続数をｐ個としているが、この限りではなく、カソード側、アノード側接続端子上に実装するコネクタの接続ピン数を適宜変更すれば、複数の系列の組み合わせにも対応できる。
【００３３】
また、上述の実施の形態１ないし３では、ＬＥＤ１３実装する回路基板としてＦＰＣを例にとって説明しているが生基板はＦＰＣに限るものではなく、ＦＰＣの代わりにＰＷＢにＬＥＤ１３を実装する光源モジュール用ＰＣＢであっても、同様に本発明の作用効果を奏すること言うまでもない。
【００３４】
さらに、上述の実施の形態１ないし３では、光源モジュール内のプリント基板に実装する複数のＬＥＤの仕様については、特に言及していなかったが、実装するＬＥＤは白色ＬＥＤなど、単一仕様のＬＥＤでもよく、あるいはＲ，Ｇ，Ｂ三色のＬＥＤなど複数仕様のＬＥＤを組み合わせてプリント基板に実装し、合成して白色を得てもよい。
【００３５】
また、実施の形態２と３の組み合わせも可能である。
【００３６】
以上、説明した実施の形態１ないし３においては、液晶ＴＶに代表される表示装置のバックライト用光源モジュールを例に採って発明内容を詳細に説明したが、本発明は、発光ダイオードを備えた光源モジュールに関するものであり、表示装置のバックライト用光源モジュールに限定されない。例えば、近年白熱電球の代替として市場投入されているＬＥＤ照明装置に内蔵する光源モジュールとして本発明が採用可能である。例えば外形が共通で発光仕様が異なる複数のＬＥＤ照明装置において、その仕様によって使用するＬＥＤの数を変えて内蔵ＰＷＢやＦＰＣを共通化した光源モジュールとして好適であり、上述の実施の形態と同様に開発費などの費用発生を抑えることができる。
【符号の説明】
【００３７】
１  光源モジュール
１０  ＦＰＣ
１１  アノード端子
１２  カソード端子
１３  ＬＥＤ
１４  アノード配線
１５  カソード配線
１６  ＬＥＤ選択配線
１７  ジャンパ抵抗
３１  第１のコネクタ
３２  第２のコネクタ
ＬＤ１１、ＬＤ１２、ＬＤ１３、ＬＤ１ｐ、ＬＤ１ｎ１、ＬＤ２１、ＬＤ２２、ＬＤ２３、ＬＤ２ｎ１、ＬＤ２ｐ、ＬＤ３１、ＬＤ３２、ＬＤ３３、ＬＤ３ｐ、ＬＤｍ１、ＬＤｍ２、ＬＤｍ３、ＬＤｍｐ  ＬＥＤ実装用ランド
ＲＰ１１、ＲＰ１２、ＲＰ１３、ＲＰ１ｐ、ＲＰ２１、ＲＰ２２、ＲＰ２３、ＲＰ２ｐ、ＲＰｍ１、ＲＰｍ２、ＲＰｍ３、ＲＰｍｐ  抵抗実装用ランド
Ａ１１、Ａ１２、Ａ１３、Ａ２１、Ａ２２  アノード側接続端子
Ｋ１１、Ｋ１２、Ｋ１３、Ｋ２１、Ｋ２２  カソード側接続端子
【図１】
2011091256.tif 000003
【図２】
2011091256.tif 000004
【図３】
2011091256.tif 000005
【図４】
2011091256.tif 000006